(57)【要約】　　　（修正有）【課題】電池パックの振幅を抑えることによって組電池が受ける衝撃を小さくし、電池パックの寿命向上を図ることができる電池工具を提供する。【解決手段】断面形状に曲線部を持つ突出部７、曲線部に切欠き部、切欠き部を介して外部に露出する端子を有する電池パック２を収納可能な電池収納部３３を有し、電池パック２収納時に電池パック２からの電力供給により動作可能な電池工具であって、電池収納部３３を形成する壁面３４の切欠き部に相対する箇所に突起４１を設けた。【選択図】図２
2004130492.tif 000002
【特許請求の範囲】
【請求項１】
断面形状に曲線部を持つ突出部、該曲線部に切欠き部、該切欠き部を介して外部に露出する端子を有する電池パックを収納可能な電池収納部を有し、電池収納時に電池からの電力供給により動作可能な電池工具であって、前記電池収納部を形成する壁面の前記切欠き部に相対する箇所に突起を設けたことを特徴とする電池工具。
【請求項２】
前記端子は正極端子及び負極端子以外の端子であることを特徴とする請求項１記載の電池工具。
【請求項３】
前記端子は電池温度検出端子であることを特徴とする請求項１記載の電池工具。
【請求項４】
前記突出部は断面形状に一対の直線部を有すると共に、該直線部に正極端子及び負極端子と該端子を外部に露出させる切欠き部を有することを特徴とする請求項２記載の電池工具。
【発明の詳細な説明】
【０００１】
【発明の属する技術分野】
本発明は、電池工具に関するものである。
【０００２】
【従来の技術】
従来の電池工具の一例を、図３〜図７に示すセーバーソー１を用いて以下説明する。
【０００３】
電池パック２は、内部に収納された組電池３、電池パック２をセーバーソー１のハウジング４に掛止させるためのラッチ５、ハウジング４の電池収納部６に挿入される長円形の断面形状をした突出部７を有する形状をしている。組電池３は、直列に接続された複数の素電池８とその両端に接続された正極端子９及び負極端子１０、充電時に素電池８の温度を測定するためのサーミスタ（図示しない）、サーミスタからの情報を充電器に伝達するための電池温度検出端子１１及び正極端子９、負極端子１０、電池温度検出端子１１を掛止する端子台１２を有する集合体である。
【０００４】
正極端子９及び負極端子１０は、それぞれ突出部７の先端側１３で長円形状のほぼ直性形状の直線部１４、１５に設けられた切欠き部１６、１７から外部に露出し、電池温度検出端子１１は同じく長円形状の曲線部分１８に設けられた切欠き部１９から外部に露出している。
【０００５】
図４に示すように切欠き部１９は突出部７の曲面部分１８に形成されている。このため、切欠き部１９の成形によって形成された角部２０は、切欠き部１９が存在しない切欠き部１９下部（反先端側１３）の曲面部分１８の外形線２１よりも内側方向に凹んでいる。
【０００６】
セーバーソー１の電池収納部６内には一対の接続端子２２が固定された端子台２３が配設されており、突出部７が電池収納部６に挿入され、電池パック２がハウジング４に取付けられると、一対の接続端子２２はそれぞれ正極端子９、負極端子１０に当設し、電池パック２の電力が、セーバーソー１の図示しない駆動部に供給可能となる。
【０００７】
電池収納部６を形成する壁面２４は、電池パック２を着脱可能とするため突出部７の外形２５の寸法よりも若干大きく形成されており、このため電池収納部６内に電池パック２を挿入した状態では、電池パック２の突出部７外形部分と電池収納部６の壁面２４との間に隙間２６ができる。
【０００８】
セーバーソー１のように出力軸２７が往復動を行う工具では、作業時にその反動で工具全体に出力軸２７の運動方向と同方向に往復振動が生じ、別体として取付けられている電池パック２は重量部品であることもあり、図７に示す矢印２８、２９方向に大きく振動することになる。
【０００９】
この際の振幅は隙間２６の影響を強く受けるが、切欠き部１９の部分の突出部７外形部分と電池収納部６の壁面２４との間の隙間３０は他の部分の隙間２６よりも大きいため、矢印２９側の振幅は矢印２８側の振幅よりも大きくなり、結果として、切欠き部１９が存在しない場合よりも電池パック２の振幅が大きくなる。
【００１０】
【発明が解決しようとする課題】
従来のセーバーソー１のように出力軸２７が往復動を行う工具では、その反動による電池パック２の振幅が大きくなるなるほど、組電池３が電池パック２内部で移動し易くなり、運動方向の切り替わり時により大きな衝撃を受け、素電池８同士を接続している図示しない接続板の溶接が剥れる等の不具合が発生し、電池パック２が早期に寿命に達してしまう場合があった。
【００１１】
本発明の目的は、上記欠点を解消し、電池パックの振幅を抑えることによって組電池が受ける衝撃を小さくし、電池パックの寿命向上を図ることができる電池工具を提供することである。
【００１２】
【課題を解決するための手段】
上記目的は、電池パックの突出部が持つ切欠き部に相対する電池収納部内の壁部に突起を設けることによって達成される。
【００１３】
【発明の実施の形態】
本発明の電池工具の一実施形態を図１〜図５に示すセーバーソー３１を用いて以下説明する。なお、電池パック２については、従来の技術の欄で説明した電池パック２と同様の構成であり、同様の符号を付したので説明を省略する。
【００１４】
セーバーソー３１のハウジング３２の電池収納部３３には、図２に示すように一対の接続端子３４が固定された端子台３５が配設されており、電池パック２の突出部７が電池収納部３３に挿入され、電池パック２がハウジング３２に取付けられると、一対の接続端子３４はそれぞれ正極端子９、負極端子１０に当設し、電池パック２の電力がセーバーソー３１の図示しない駆動部に供給可能となる。セーバーソー３１は、この電池パック２からの電力の供給を受けることによって、ブレード３７をその軸方向に往復動作させ、被切断材の切断を行うことを可能とする。
【００１５】
電池収納部３３を形成する壁面３４は、電池パック２を着脱可能とするために突出部７の外形２５の寸法よりも若干大きな内径寸法を有する形状に形成されており、このため電池パック２を電池収納部３３内に収納させた状態では、突出部７の外形部分と壁面３４との間に若干量の隙間３６ができる。
【００１６】
図２に示すように、電池収納部３３を形成する壁面３４には、電池パック２を電池収納部３３内に収納させた際に電池パック２の切欠き１９と相対する部分に、電池収納部３３内に向かって突出する突起４１が設けられている。なお、この突起４１は、切欠き部１９の外形部分と壁面２４との間にできる隙間４０が、切欠き部１９が存在しない部分の外形部分と壁面３４との間に存在する隙間３６と同等以下となるように設けられている。
【００１７】
セーバーソー３１のブレード３７が往復動作をすると、従来の技術で説明したセーバーソー１と同様に電池パック２は矢印３８、３９方向に大きく振動することになる。この際の振幅は隙間３６の影響を強く受けるが、壁面３４の切欠き部１９に相対する部分には、上記したように電池収納部３３内に向かって突出した突起４１が設けられており、この部分の隙間４０が他の部分の隙間３６と同等以下となるように突起４１が突設されているため、電池パック２の中立位置からの振幅は矢印３８、３９側ともほぼ同じとなり、結果として切欠き部１９が存在しない場合と同等の振幅に抑えることができるようになり、電池パック２が早期に寿命に達してしまうことを抑制することができる。
【００１８】
なお、上記実施形態では、電池工具としてセーバーソーを例に挙げ説明したが、その他種々の電池工具であっても同様の効果を沿うし得ることができるものである。しかしながら、セーバーソーのように出力軸が往復動の成分を持つ動作を行う振動ドリルやハンマー、ハンマードリル等の電池工具においては、電池パック２の寿命向上を図ることができるという効果が研著に現れるものである。
【００１９】
また、上記実施形態では、充電時に素電池８の温度を測定するためのサーミスタの情報を充電器に伝達するための電池温度検出端子１１を外部に露出するために突出部７に切欠き部１９が設けられているとしたが、その他の端子を外部に露出するために形成された切欠き部１９であっても良く、例えば電池パック２の種類を判別するための種類判別端子を外部に露出するための切欠き部１９でも良い。
【００２０】
【発明の効果】
本発明によれば、電池パックの突出部が持つ切欠き部に相対する電池収納部内の壁部に突起を設けたことによって、切欠き部の存在によって電池パックの振動の振幅が大きくなり、電池パックが早期に寿命に達してしまう恐れがあるという従来の欠点を解消することができ、電池パックの寿命向上を図ることができる電池工具を提供することができるようになる。
【図面の簡単な説明】
【図１】本発明の電池工具の一実施形態を示す側面図。
【図２】図１の要部拡大一部断面図。
【図３】従来の電池パックの一例を示す正面図。
【図４】図３の電池パックの要部拡大上面図。
【図５】図４のＡ−Ａ線断面要部拡大図。
【図６】従来の電池工具の一例を示す側面図。
【図７】図６の要部拡大一部断面図。
【符号の説明】
２は電池パック、７は電池パックの突出部、１１は電池温度検出端子、１９は切欠き部、３３は電池収納部、４１は突起である。
【図１】
2004130492.tif 000003
【図２】
2004130492.tif 000004
【図３】
2004130492.tif 000005
【図４】
2004130492.tif 000006
【図５】
2004130492.tif 000007
【図６】
2004130492.tif 000008
【図７】
2004130492.tif 000009